(57)【要約】【課題】着用するブラジャーを選択することのできる女性用補整下着を提供する。【解決手段】この女性用補整下着１には、ブラジャー４０に対する取り付けおよび取り外しが可能なストラップ３０が設けられている。ストラップ３０の下端３２（図３（ｂ））には、ブラジャー４０のカップ４１のフック受部４２に対する取り付けおよび取り外しが可能なフック３３が設けられている。ストラップ３０のフック３３にカップ４１のフック受部４２が取り付けられたとき、カップ４１がストラップ３０を介して肩周り部１３の頂部から吊り下げられる。【選択図】図３
2012233268.tif 000002
【特許請求の範囲】
【請求項１】
女性用補整下着において、
ブラジャーを取り付けることおよび取り外すことが可能な取付部が設けられていること
を特徴とする女性用補整下着。
【請求項２】
請求項１に記載の女性用補整下着において、
前記取付部がブラジャーのカップを吊り下げる部分として構成されていること
を特徴とする女性用補整下着。
【請求項３】
請求項２に記載の女性用補整下着において、
肩および頸部に対応する肩周り部分が前身頃および後身頃に設けられていること、
ならびに、前記取付部が前記肩周り部分に接続されていること
を特徴とする女性用補整下着。
【請求項４】
請求項３に記載の女性用補整下着において、
前記肩周り部分が頸部と対応する部分から肩関節と対応する部分までにわたり設けられていること
を特徴とする女性用補整下着。
【請求項５】
請求項３または４に記載の女性用補整下着において、
前記肩周り部分のうちの頂部に対応する部分に前記取付部が接続されていること
を特徴とする女性用補整下着。
【請求項６】
請求項３〜５のいずれか一項に記載の女性用補整下着において、
前記取付部としてストラップが設けられていること、
ならびに、前記ストラップの上端が前記肩周り部分に接続されていること
を特徴とする女性用補整下着。
【請求項７】
請求項６に記載の女性用補整下着において、
前記肩周り部分の頂部の裏側に補強部が設けられていること、
ならびに、前記ストラップの上端が前記補強部に接続されていること
を特徴とする女性用補整下着。
【請求項８】
請求項６または７に記載の女性用補整下着において、
ブラジャーのフック受部を取り付けることおよび取り外すことができるフックが前記ストラップに設けられていること
を特徴とする女性用補整下着。
【請求項９】
請求項１〜８のいずれか一項に記載の女性用補整下着において、
前身頃のうちの乳房に対応する部分に開口部が形成されていること
を特徴とする女性用補整下着。
【請求項１０】
請求項１〜９のいずれか一項に記載の女性用補整下着において、
前身頃のうちの乳房の下方に対応する部分に支持ベルトが設けられていること
を特徴とする女性用補整下着。
【請求項１１】
請求項１〜１０のいずれか一項に記載の女性用補整下着において、
前身頃のうちの乳房の下部と対応する部分および乳房の外側と対応する部分に下支部が設けられていること
を特徴とする女性用補整下着。
【請求項１２】
請求項１〜１１のいずれか一項に記載の女性用補整下着において、
脇および背面の脇付近と対応する部分の緊締力が背中と対応する部分の緊締力よりも大きいこと
を特徴とする女性用補整下着。
【請求項１３】
請求項１〜１２のいずれか一項に記載の女性用補整下着において、
上腕を覆う袖が設けられていること
を特徴とする女性用補整下着。
【請求項１４】
請求項１３に記載の女性用補整下着において、
前記袖の内側部分を構成する生地の緊締力が前記袖の外側部分を構成する生地の緊締力よりも小さいこと
を特徴とする女性用補整下着。
【請求項１５】
請求項１３または１４に記載の女性用補整下着において、
前記袖の内側部分を構成する生地が前記袖の外側部分を構成する生地よりも柔らかい生地であること
を特徴とする女性用補整下着。
【発明の詳細な説明】
【技術分野】
【０００１】
本発明は、女性用補整下着に関する。
【背景技術】
【０００２】
上記女性用補整下着として、特許文献１に記載の下着が知られている。
【先行技術文献】
【特許文献】
【０００３】
【特許文献１】特開２００７−８４９４５号公報
【発明の概要】
【発明が解決しようとする課題】
【０００４】
特許文献１の女性用補整下着は、前身頃および後身頃とブラジャーとが一体化されている。このためユーザーは、同下着を着用してボディラインを補整するとき、好みのブラジャーを着用することを断念する必要がある。
【０００５】
本発明は上記課題を解決するためになされたものであり、その目的は、着用するブラジャーを選択することのできる女性用補整下着を提供することにある。
【課題を解決するための手段】
【０００６】
上記目的を達成するための手段を以下に記載する。
（１）請求項１に記載の発明は、女性用補整下着において、ブラジャーを取り付けることおよび取り外すことが可能な取付部が設けられていることを要旨としている。
【０００７】
上記発明によれば、ブラジャーを取り付けることおよび取り外すことが可能な取付部が設けられているため、ユーザーが本女性用補整下着を着用するとき、着用するブラジャーを選択することができる。
【０００８】
（２）請求項２に記載の発明は、請求項１に記載の女性用補整下着において、前記取付部がブラジャーのカップを吊り下げる部分として構成されていることを要旨としている。
上記発明によれば、ブラジャーのカップを取付部に吊り下げることができるため、取付部にブラジャーのカップとは別の部分が取り付けられる構成と比較して、ブラジャーが本女性用補整下着に取り付けられたときのカップの位置が安定する。
【０００９】
（３）請求項３に記載の発明は、請求項２に記載の女性用補整下着において、肩および頸部に対応する肩周り部分が前身頃および後身頃に設けられていること、ならびに、前記取付部が前記肩周り部分に接続されていることを要旨としている。
【００１０】
上記発明によれば、頸部および肩に対応する肩周り部分が設けられているため、肩周りの生地が頸部のみに対応する構成と比較して、前身頃および後身頃において取付部にかかる力を受ける部分の面積が大きくなる。このため、ブラジャーが本女性用補整下着に取り付けられたときにユーザーにかかる負荷が軽減される。
【００１１】
（４）請求項４に記載の発明は、請求項３に記載の女性用補整下着において、前記肩周り部分が頸部と対応する部分から肩関節と対応する部分までにわたり設けられていることを要旨としている。
【００１２】
上記発明によれば、肩周り部分が頸部から肩関節までに対応して設けられているため、肩周り部分が頸部のみに対応している構成と比較して、前身頃および後身頃において取付部にかかる力を受ける部分の面積が大きくなる。このため、ブラジャーが本女性用補整下着に取り付けられたときにユーザーにかかる負荷が軽減される。
【００１３】
（５）請求項５に記載の発明は、請求項３または４に記載の女性用補整下着において前記肩周り部分のうちの頂部に対応する部分に前記取付部が接続されていることを要旨としている。
【００１４】
上記発明によれば、取付部が肩周り部分の頂部と対応する部分に接続されるため、本女性用補整下着にブラジャーが取り付けられたとき、取付部が肩周り部分の頂部よりも下方において接続された場合と比較して、ブラジャーが吊り下げられたときに前身頃の生地が伸びにくくなる。なお、肩周り部分の頂部は、ユーザーが立位の姿勢のときに肩周の上部と対応する部分に相当する。
【００１５】
（６）請求項６に記載の発明は、請求項３〜５のいずれか一項に記載の女性用補整下着において、前記取付部としてストラップが設けられていること、ならびに、前記ストラップの上端が前記肩周り部分に接続されていることを要旨としている。
【００１６】
上記発明によれば、取付部としてストラップが設けられているため、ブラジャーが本女性用補整下着に取り付けられたとき、ストラップの長さを調節することによりカップの位置を調節することができる。
【００１７】
（７）請求項７に記載の発明は、請求項６に記載の女性用補整下着において、前記肩周り部分の頂部の裏側に補強部が設けられていること、ならびに、前記ストラップの上端が前記補強部に接続されていることを要旨としている。
【００１８】
上記発明によれば、ストラップの上端が補強部に接続されるため、本女性用補整下着にブラジャーが取り付けられたとき、前身頃および後身頃においてのストラップとの接続部分およびその付近が伸びにくくなる。
【００１９】
（８）請求項８に記載の発明は、請求項６または７に記載の女性用補整下着において、ブラジャーのフック受部を取り付けることおよび取り外すことができるフックが前記ストラップに設けられていることを要旨としている。
【００２０】
上記発明によれば、ブラジャーのフック受部を取り付けることおよび取り外すことができるフックがストラップに設けられているため、ストラップにブラジャーを取り付ける作業を容易に行なうことができる。
【００２１】
（９）請求項９に記載の発明は、請求項１〜８のいずれか一項に記載の女性用補整下着において、前身頃のうちの乳房に対応する部分に開口部が形成されていることを要旨としている。
【００２２】
上記発明によれば、乳房に対応する部分に開口部が形成されているため、開口部が形成されていない構成と比較して、乳房が同部分に押さえられることにともない乳房の形状が変形することが抑制される。
【００２３】
（１０）請求項１０に記載の発明は、請求項１〜９のいずれか一項に記載の女性用補整下着において、前身頃のうちの乳房の下方に対応する部分に支持ベルトが設けられていることを要旨としている。
【００２４】
上記発明によれば、支持ベルトにより乳房が下方から支持されるため、乳房の下垂が抑制される。このため、ユーザーが本女性用補整下着を着用することにともなう乳房のボディラインの補整効果がより高くなる。
【００２５】
（１１）請求項１１に記載の発明は、請求項１〜１０のいずれか一項に記載の女性用補整下着において、前身頃のうちの乳房の下部と対応する部分および乳房の外側と対応する部分に下支部が設けられていることを要旨としている。
【００２６】
上記発明によれば、下支部により乳房が下方および外側から支持されるため、乳房の下垂が抑制される。このため、ユーザーが本女性用補整下着を着用することにともなう乳房のボディラインの補整効果がより高くなる。
【００２７】
（１２）請求項１２に記載の発明は、請求項１〜１１のいずれか一項に記載の女性用補整下着において、脇および背面の脇付近と対応する部分の緊締力が背中と対応する部分の緊締力よりも大きいことを要旨としている。
【００２８】
上記発明によれば、脇および背面の脇付近と対応する部分により脇および背面の脇付近の贅肉が押さえ付けられる。これにより、脇および背面の脇付近のボディラインを美しく見せることができる。
【００２９】
（１３）請求項１３に記載の発明は、請求項１〜１２のいずれか一項に記載の女性用補整下着において、上腕を覆う袖が設けられていることを要旨としている。
上記発明によれば、上腕を覆う袖が設けられているため、上腕のボディラインを補整することができる。このため、ユーザーが本女性用補整下着を着用することにともなうボディラインの補整効果がより高くなる。
【００３０】
（１４）請求項１４に記載の発明は、請求項１３に記載の女性用補整下着において、前記袖の内側部分を構成する生地の緊締力が前記袖の外側部分を構成する生地の緊締力よりも小さいことを要旨としている。
【００３１】
上記発明によれば、袖の内側部分の緊締力が袖の外側部分の緊締力よりも小さいため、内側部分の緊締力が外側部分の緊締力と同じまたは大きい構成と比較して、本女性用補整下着を着用したユーザーに付与される腕の締め付け感が小さくなる。
【００３２】
（１５）請求項１５に記載の発明は、請求項１３または１４に記載の女性用補整下着において、前記袖の内側部分を構成する生地が前記袖の外側部分を構成する生地よりも柔らかい生地であることを要旨としている。
【００３３】
上記発明によれば、袖の内側部分を構成する生地として、袖の外側部分を構成する生地よりも柔らかい生地が用いられているため、すなわち生地に対して敏感な腕の部分に対応して柔らかい生地が用いられているため、本女性用補整下着の着心地がよりよいものとなる。
【発明の効果】
【００３４】
本発明によれば、着用するブラジャーを選択することのできる女性用補整下着を提供することができる。
【図面の簡単な説明】
【００３５】
【図１】本発明の一実施形態の女性用補整下着について、その正面構造を示す正面図。
【図２】同実施形態の女性用補整下着について、その背面構造を示す背面図。
【図３】同実施形態の女性用補整下着について、（ａ）はユーザーが同下着を着用したときの正面側からの斜視構造を示す斜視図、（ｂ）はストラップとブラジャーのカップとを拡大して示す斜視図。
【図４】同実施形態の女性用補整下着について、ユーザーが同下着を着用したときの背面側からの斜視構造を示す斜視図。
【発明を実施するための形態】
【００３６】
本実施形態では、袖付きの女性用補整下着１として本発明を具体化した一例を示している。なお、図１〜図４においては、女性用補整下着１を構成する各生地同士の縫い目を実線で示している。また、女性用補整下着１の表側の生地の裏側に設けられる生地およびブラジャーを破線で示している。
【００３７】
図１および図２を参照して、女性用補整下着１の構成について説明する。
まず、身体の方向に関する用語として以下のものを定義する。
・「前方」は、身体の背面から前面に向かう方向を示す。
・「後方」は、身体の前面から背面に向かう方向を示す。
・「上方」は、足から頭に向かう方向を示す。
・「下方」は、頭から足に向かう方向を示す。
・「左方」は、右半身から左半身に向かう方向を示す。
・「右方」は、左半身から右半身に向かう方向を示す。
・「高さ方向」は、上方および下方に沿う方向を示す。
・「幅方向」は、右方および左方に沿う方向を示す。
・「内側」は、幅方向においての身体の中心側を示す。
・「外側」は、幅方向においての身体の中心側とは反対側を示す。
【００３８】
また、身体の各部位に関する用語として以下のものを定義する。
・「頸部」は、鎖骨の上方と対応する部分を示す。
・「肩」は、肩関節と対応する部分かつ頸部よりも外側の部分を示す。
・「胸部」は、体幹の前面においてみぞおちよりも上方の部分を示す。
・「脇」は、体幹の側部において上腕の内側と対応する部分を示す。
・「脇上部」は、脇のうちの上部と対応する部分を示す。
・「脇下部」は、脇のうちの下部と対応する部分を示す。
・「腹部」は、体幹の前面においてみぞおちよりも下方の部分を示す。
・「上腹部」は、腹部のうちのウエストよりも上方の部分を示す。
・「肩甲部」は、体幹の背面において肩甲骨と対応する部分を示す。
・「背中部」は、体幹の背面においてウエストよりも上方かつ肩甲部を除く部分を示す。
【００３９】
また、生地に関する用語として以下のものを定義する。
・「裏側」は、生地において身体の表面と対向する側を示す。
・「表側」は、生地において裏側とは反対側を示す。
【００４０】
図１および図２に示されるように、女性用補整下着１には、上半身の前面を覆う前身頃１１と、上半身の背面を覆う後身頃１２と、左上腕を肩から中間部分までにわたり覆う左側の袖１４と、右上腕を肩から中間部分までにわたり覆う右側の袖１４と、頸部回りを覆う襟１５とが設けられている。
【００４１】
前身頃１１および後身頃１２には、着用者の各部分を覆う一般的な部分として設けられる基礎部２０と、ブラジャー４０（図３参照）を吊り下げるためのストラップ３０と、ストラップ３０を接続するための補強部１７と、乳房を支持するための支持ベルト１８とが設けられている。
【００４２】
基礎部２０の一部として、頸部と対応する部分から肩関節と対応する部分までを覆う肩周り部分１３と、肩周り部分１３の裏側に縫い付けられて肩および頸部を覆う裏肩周り部分２８と、肩周り部分１３の下方において脇上部および胸部の外側を覆う脇上部分２５とが設けられている。
【００４３】
裏肩周り部分２８には、図１に示される前身頃１１の肩周り部分１３の裏側に対応する前裏肩周り部分２８Ａと、図２に示される後身頃１２の肩周り部分１３の裏側に対応する後裏肩周り部分２８Ｂとが設けられている。前裏肩周り部分２８Ａおよび後裏肩周り部分２８Ｂは、連続した１枚の生地として構成されている。
【００４４】
脇上部分２５には、図１に示される前身頃１１の肩周り部分１３の下方に対応する前脇上部分２５Ａと、図２に示される後身頃１２の肩周り部分１３の下方に対応する後脇上部分２５Ｂとが設けられている。前脇上部分２５Ａおよび後脇上部分２５Ｂは、連続した１枚の生地として構成されている。
【００４５】
袖１４には、上腕の外側を覆う外側袖部分２６と、上腕の内側を覆う内側袖部分２７とが設けられている。外側袖部分２６には、前身頃１１および後身頃１２の頸部および肩に対応する部分も含まれている。内側袖部分２７には、前身頃１１および後身頃１２の脇上部に対応する部分も含まれている。裏肩周り部分２８は、外側袖部分２６のうちの頸部および肩に対応する部分の裏側に縫い付けられている。
【００４６】
袖１４を構成する生地は、上腕の中間部分から襟１５までにわたり連続するラグラン袖の形状に対応している。なお、この女性用補整下着１においては、肩口から腕と対応する部分までを「袖１４」としている。
【００４７】
図１を参照して、前身頃１１の構成について説明する。
前身頃１１の基礎部２０には、肩周り部分１３、前裏肩周り部分２８Ａ、および前脇上部分２５Ａの他に、上腹部および脇下部を覆う腹部分２１と、脇上部および胸部の外側を覆う外側胸部分２３と、乳房の外側の部分および乳房の下部を覆う下支部２９と、乳房の下方と対応する部分を覆う支持ベルト１８とが設けられている。下支部２９は、外側胸部分２３および支持ベルト１８の裏側に設けられている。下支部２９は、右側の外側胸部分２３と対応する右側の部分および左側の外側胸部分２３と対応する左側の部分により構成されている。下支部２９の右側の部分と左側の部分とは、前身頃１１の中心部分において互いに縫い合わせられている。また、乳房と対応する部分において、ブラジャー４０のカップ４１（図３参照）を露出させるための開口部１６が形成されている。
【００４８】
前身頃１１の肩周り部分１３には、外側袖部分２６の一部が設けられている。また、脇よりも上方に対応する部分には、内側袖部分２７の一部分が設けられている。このように、女性用補整下着１の正面部分においては、袖１４の外側の部分および前身頃１１の肩周り部分１３が外側袖部分２６により構成されている。また、袖１４の内側部分および前身頃１１の脇上部の部分が内側袖部分２７により構成されている。
【００４９】
図２を参照して、後身頃１２の構成について説明する。
後身頃１２の基礎部２０には、肩周り部分１３、後裏肩周り部分２８Ｂ、および後脇上部分２５Ｂの他に、背中および脇下部を覆う背中部分２２と、背中部分２２の裏側に縫い付けられて脇下部および背中の外側を覆う外側背中部分２４とが設けられている。
【００５０】
後身頃１２の肩周り部分１３には、外側袖部分２６の一部が設けられている。また、脇よりも上方に対応する部分には、内側袖部分２７の一部分が設けられている。このように、女性用補整下着１の背面部分においては、袖１４の外側の部分と後身頃１２の肩周り部分１３とが外側袖部分２６により構成されている。また、袖１４の内側部分と前身頃１１の脇上部の部分とが内側袖部分２７により構成されている。
【００５１】
図１および図２を参照して、肩周り部分１３の構成について説明する。なお、肩周り部分１３の頂部は、ユーザーが立位の姿勢のときに肩周り部分１３において肩の上面と対応する。
【００５２】
肩周り部分１３は、頸部から肩関節までを覆う前裏肩周り部分２８Ａと、外側袖部分２６の正面部分においての頸部および肩に対応する部分と、頸部から肩関節までを覆う後裏肩周り部分２８Ｂと、外側袖部分２６の背面部分においての頸部および肩に対応する部分とを含めて構成されている。
【００５３】
肩周り部分１３の頂部の裏側には、肩周り部分１３を補強する補強部１７が縫い付けられている。補強部１７は、前身頃１１と後身頃１２との境界部分をまたいで前身頃１１および後身頃１２の裏側にわたり設けられている。補強部１７の幅は、裏肩周り部分２８の幅と同じ大きさに設定されている。
【００５４】
図１を参照して、襟１５およびストラップ３０の構成について説明する。
襟１５は、背中部分２２の上縁、左側の外側袖部分２６の右縁、左側の外側胸部分２３の右縁、下支部２９の中間部分の上縁、右側の外側胸部分２３の左縁、および右側の外側袖部分２６の左縁により構成されている。なお、左側の外側胸部分２３の右縁、下支部２９の中間部分の上縁、右側の外側胸部分２３の左縁に囲まれる部分が開口部１６に相当する。
【００５５】
ストラップ３０は、肩周り部分１３の裏側かつ開口部１６付近に設けられている。ストラップ３０の上端３１は、補強部１７に縫い付けられている。ストラップ３０の下端３２には、ブラジャー４０のフック受部４２（図３参照）に取り付けるためのフック３３が設けられている。フック３３は、外側胸部分２３の上部の裏側に設けられている。ストラップ３０の中間部分には、ストラップ３０の長さを調整するためのアジャスター３４が設けられている。
【００５６】
女性用補整下着１を構成する生地の種類について説明する。
女性用補整下着１には、４種類の生地が用いられている。すなわち、緊締力が強い強緊締力生地と、緊締力が弱い弱緊締力生地と、弱緊締力生地と同じ緊締力を有し、かつ弱緊締力生地および強緊締力生地よりも柔らかく、かつ弱緊締力生地および強緊締力生地よりも高い伸縮性を有する柔軟生地と、伸縮性の高いゴム生地とが用いられている。
【００５７】
ここでは、強緊締力生地としてタテ編生地が用いられている。また弱緊締力生地として、一般の下着に用いられる生地と同程度の伸縮性を有するレース生地が用いられている。また柔軟生地として、一般の下着に用いられる生地と同程度の伸縮性を有する丸編生地が用いられている。
【００５８】
上記各生地は、女性用補整下着１の各部位を以下のように構成している。
（ａ）強緊締力生地は、腹部分２１、背中部分２２、外側背中部分２４、外側袖部分２６、裏肩周り部分２８、および下支部２９を構成している。
（ｂ）弱緊締力生地は、外側胸部分２３を構成している。
（ｃ）柔軟生地は、脇上部分２５および内側袖部分２７を構成している。
（ｄ）ゴム生地は、支持ベルト１８、補強部１７、およびストラップ３０（フック３３およびアジャスター３４を除く）を構成している。
【００５９】
腹部分２１においては、同じ種類の２枚の強緊締力生地が互いに重ね合わせられている。このため、腹部分２１の緊締力は、背中部分２２、外側背中部分２４、外側袖部分２６、および裏肩周り部分２８の緊締力よりも大きい。外側胸部分２３においては、同じ種類の２枚の弱緊締力生地が互いに重ね合わせられている。
【００６０】
図３および図４を参照して、ユーザーが女性用補整下着１およびブラジャー４０を着用したときの女性用補整下着１とブラジャー４０との関係について説明する。なお、ブラジャー４０としては、ストラップを取り付けることおよびストラップを取り外すことが可能なブラジャー４０が用いられている。
【００６１】
図３（ａ）に示されるように、ブラジャー４０においては、カップ４１のうちストラップ３０に対応する部分よりも内側の部分が開口部１６から露出する。また、カップ４１のうちストラップ３０に対応する部分よりも外側の部分が外側胸部分２３に覆われる。また、ブラジャー４０のカップ４１の下方が支持ベルト１８により支持される。また、図４に示されるように、ブラジャー４０のベルト４３は、外側背中部分２４および背中部分２２により覆われる。
【００６２】
図３（ｂ）に示されるように、ブラジャー４０のカップ４１の上部に設けられたフック受部４２には、ストラップ３０のフック３３が取り付けられる。これにより、ブラジャー４０のカップ４１が補強部１７およびストラップ３０を介して肩周り部１３の頂部から吊り下げられる。
【００６３】
図３および図４を参照して、女性用補整下着１の補整機能について説明する。
女性用補整下着１を着用したユーザーにおいては、腹部分２１、背中部分２２、外側袖部分２６、および裏肩周り部分２８に対応する身体の贅肉がこれらの部分により押さえ付けられる。また、腹部分２１を構成する二重の強緊締力生地により上腹部および脇下部が強く押さえ付けられる。また、外側背中部分２４を構成する強緊締力生地により脇および背面の脇付近が押さえ付けられる。これにより、肩周り、脇周り、腹周り、および背中のボディラインが補整される。また、支持ベルト１８により乳房の下縁が持ち上げられる。また、下支部２９により乳房が上方かつ内側に持ち上げられる。これにより、乳房のボディラインが補整される。
【００６４】
（実施形態の効果）
本実施形態の女性用補整下着１によれば以下の効果が得られる。
（１）女性用補整下着１においては、ブラジャー４０を取り付けることおよび取り外すことが可能なストラップ３０が設けられている。このため、ユーザーが女性用補整下着１を着用するとき、着用するブラジャー４０を選択することができる。
【００６５】
（２）女性用補整下着１においては、ブラジャー４０のカップ４１を吊り下げることができるストラップ３０が設けられている。この構成によれば、ストラップ３０にブラジャー４０のカップ４１とは別の部分が取り付けられる構成と比較して、ブラジャー４０が女性用補整下着１に取り付けられたときのカップ４１の位置が安定する。
【００６６】
（３）女性用補整下着１においては、肩および頸部に対応する肩周り部分１３が設けられている。また、ストラップ３０が肩周り部分１３に接続されている。この構成によれば、肩周り部分１３の生地が頸部のみに対応する構成と比較して、前身頃１１および後身頃１２においてストラップ３０にかかる力を受ける部分の面積が大きくなる。このため、ブラジャー４０が女性用補整下着１に取り付けられたときにユーザーにかかる負荷が軽減される。
【００６７】
（４）女性用補整下着１においては、頸部と対応する部分から肩関節と対応する部分までにわたり肩周り部分１３が設けられている。この構成によれば、肩周り部分１３が頸部のみに対応している構成と比較して肩周り部分１３の幅が大きくなるため、前身頃１１および後身頃１２においてストラップ３０にかかる力を受ける部分の面積が大きくなる。このため、ブラジャー４０が女性用補整下着１に取り付けられたときにユーザーにかかる負荷が軽減される。
【００６８】
（５）女性用補整下着１においては、ストラップ３０の上端３１が肩周り部分１３の頂部と対応する部分に接続されている。この構成によれば、女性用補整下着１にブラジャー４０が取り付けられたとき、ストラップ３０の上端３１が肩周り部分１３の頂部よりも下方に接続される構成と比較して、ブラジャー４０を吊り下げることにともなう前身頃１１の生地の伸びが小さくなる。
【００６９】
（６）女性用補整下着１においては、アジャスター３４を有するストラップ３０が設けられている。この構成によれば、ストラップ３０の長さを調節することによりカップ４１の位置を調節することができる。
【００７０】
（７）女性用補整下着１においては、肩周り部分１３の頂部の裏側に補強部１７が設けられている。また、ストラップ３０の上端３１が補強部１７に接続されている。この構成によれば、女性用補整下着１にブラジャー４０が取り付けられたとき、前身頃１１および後身頃１２においてのストラップ３０との接続部分およびその付近の生地の伸びが小さくなる。
【００７１】
（８）女性用補整下着１においては、ブラジャー４０のフック受部４２に対する取り付けおよび取り外しが可能なフック３３がストラップ３０に設けられている。この構成によれば、ストラップ３０にブラジャー４０を取り付ける作業を容易に行なうことができる。
【００７２】
（９）女性用補整下着１は、前身頃１１のうちの乳房に対応する部分に開口部１６が形成されている。この構成によれば、開口部１６が形成されていない構成と比較して、乳房が同部分に押されることにともない乳房の形状が変形することが抑制される。また、女性用補整下着１を着用したユーザーに与えられる締め付け感が小さくなる。
【００７３】
（１０）女性用補整下着１においては、前身頃１１のうちの乳房の下方に対応する部分に支持ベルト１８が設けられている。この構成によれば、乳房およびカップ４１の下垂が抑制される。このため、ユーザーが女性用補整下着１を着用することにともなう乳房のボディラインの補整効果がより高くなる。
【００７４】
（１１）女性用補整下着１においては、前身頃１１のうちの乳房の下部と対応する部分および乳房の外側と対応する部分に下支部２９が設けられている。この構成によれば、下支部２９により乳房が下方および外側から支持されるため、乳房の下垂が抑制される。このため、ユーザーが本女性用補整下着を着用することにともなう乳房のボディラインの補整効果がより高くなる。
【００７５】
（１２）女性用補整下着１においては、強緊締力生地により構成される二重構造の外側背中部分２４が設けられている。この構成によれば、脇および背面の脇付近の贅肉が押さえ付けられるため、脇および背面の脇付近のボディラインを美しく見せることができる。
【００７６】
（１３）女性用補整下着１においては、上腕を覆う袖１４が設けられている。この構成によれば、上腕のボディラインを補整することができる。すなわち、ユーザーが女性用補整下着を着用することにともなうボディラインの補整効果がより高くなる。また、袖１４が設けられていない構成と比較して、ストラップ３０にかかる力を受ける部分の面積が大きくなる。このため、ブラジャー４０が女性用補整下着１に取り付けられたときにユーザーにかかる負荷がより軽減される。また、袖１４が設けられていることにより、上腕の贅肉をブラジャーのカップに入れやすくなる。このため、上腕、乳房、およびその付近の部分のボディラインを美しく見せることができる。
【００７７】
（１４）女性用補整下着１においては、袖１４の内側部分を構成する内側袖部分２７の生地の緊締力が袖１４の外側部分を構成する外側袖部分２６の生地の緊締力よりも小さい。この構成によれば、内側袖部分２７の生地の緊締力が外側袖部分２６の生地の緊締力と同じまたは大きい構成と比較して、女性用補整下着１を着用したユーザーに付与される腕の締め付け感が小さくなる。
【００７８】
（１５）女性用補整下着１においては、内側袖部分２７の生地として柔軟生地が用いられている。この構成によれば、外側袖部分２６の強緊締力生地よりも柔らかい柔軟生地がユーザーの身体において生地に対して敏感な部分に用いられているため、女性用補整下着１の着心地がよりよいものとなる。また、外側袖部分２６の強緊締力生地よりも高い伸縮性を有する柔軟生地が用いられているため、肩関節を動かしやすくなる。
【００７９】
（１６）女性用補整下着１においては、脇上部分２５の生地として柔軟生地が用いられている。この構成によれば、ユーザーの身体において生地に対して敏感な脇上部に柔らかい柔軟生地が用いられているため、女性用補整下着１の着心地がよりよいものとなる。また、高い伸縮性を有する柔軟生地が用いられているため、肩関節を動かしやすくなる。
【００８０】
（その他の実施形態）
本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【００８１】
・上記実施形態（図１）では、ストラップ３０の上端３１が肩周り部分１３の頂部に接続されているが、前身頃１１の頂部よりも正面側の部分、かつ乳房と対応する部分または同部分よりも上側の部分にストラップ３０の上端３１を接続することもできる。
【００８２】
・上記実施形態（図３）では、ブラジャー４０を女性用補整下着１に取り付けるための手段としてストラップ３０のフック３３が設けられているが、同手段を次のように変更することもできる。
【００８３】
（Ａ）ストラップ３０に面ファスナーを設ける。ブラジャー４０のカップ４１に同面ファスナーに対応する面ファスナーを設ける。そして、ストラップ３０の面ファスナーとカップ４１の面ファスナーとを互いに接続することにより、ブラジャー４０を女性用補整下着１に取り付ける。
【００８４】
（Ｂ）ストラップ３０にボタンを設ける。ブラジャー４０のカップ４１に同ボタンに対応する穴またはループを設ける。そして、ストラップ３０のボタンをカップ４１の穴またはループにかけることにより、ブラジャー４０を女性用補整下着１に取り付ける。
【００８５】
（Ｃ）ブラジャー４０のカップ４１にボタンを設ける。ストラップ３０に同ボタンに対応する穴またはループを設ける。そして、カップ４１のボタンをストラップ３０の穴またはループにかけることにより、ブラジャー４０を女性用補整下着１に取り付ける。
【００８６】
（Ｄ）ストラップ３０に紐を設ける。ブラジャー４０のカップ４１に巻付部を設ける。そして、ストラップ３０の紐をカップ４１の巻付部に巻き付けることにより、ブラジャー４０を女性用補整下着１に取り付ける。なお、巻付部としてフック受部４２を用いることもできる。
【００８７】
・上記実施形態（図３）では、ブラジャー４０を取り付けるための部分としてストラップ３０が設けられているが、ストラップ３０を省略し、外側胸部分２３の裏側の乳房と対応する部分または乳房の上方と対応する部分にフックを設けることもできる。この構成によれば、このフックとブラジャー４０のフック受部４２とを接続することにより、女性用補整下着１にブラジャー４０を取り付けることができる。
【００８８】
・上記実施形態（図１）では、ストラップ３０の上端３１が補強部１７に縫い付けられているが、ストラップ３０の上端３１を補強部１７に対して取り付けおよび取り外しが可能な構成に変更することもできる。すなわち、ストラップ３０を基礎部２０とは別体の要素として構成することもできる。
【００８９】
・上記実施形態（図３）では、基礎部２０の裏側にストラップ３０が設けられているが、ストラップ３０を基礎部２０の表側に設けることもできる。この場合には、ブラジャー４０が女性用補整下着１の表側に着用される。
【００９０】
・上記実施形態（図１）では、裏肩周り部分２８の幅と補強部１７の幅とが互いに同じ大きさに設定されているが、補強部１７の幅を裏肩周り部分２８の幅よりも小さくすることまたは大きくすることもできる。
【００９１】
・上記実施形態（図１）では、補強部１７がゴム生地により構成されているが、補強部１７を強緊締力生地により構成することもできる。また、スポンジ等の可撓性の素材により構成することもできる。
【００９２】
・上記実施形態（図２）では、背中部分２２の脇および背面の脇付近の部分に外側背中部分２４を重ね合わせることにより、同脇および背面の脇付近の部分に緊締力の大きい部分が形成されているが、緊締力を大きくするための構成を次のように変更することもできる。すなわち、背中部分２２において外側背中部分２４と対応する部分を省略し、かつ２枚の強緊締力生地を重ね合わせた生地の緊締力以上の強緊締力生地により外側背中部分２４を構成する。また、この外側背中部分２４の縁と背中部分２２の縁とを互いに縫い合わせる。
【００９３】
・上記実施形態（図１）では、内側袖部分２７および脇上部分２５が柔軟生地により構成されているが、内側袖部分２７および脇上部分２５の少なくとも一方を強緊締力生地またはレース生地により構成することもできる。
【００９４】
・上記実施形態（図１および図２）では、腹部分２１、背中部分２２、外側背中部分２４、外側袖部分２６、および裏肩周り部分２８が強緊締力生地により構成されているが、これらのうち少なくとも１つを柔軟生地またはレース生地により構成することもできる。
【００９５】
・上記実施形態（図１）では、同じ種類の２枚の強緊締力生地が重ね合わせられることにより腹部分２１が構成されているが、強緊締力生地の１枚を省略して腹部分２１を構成することもできる。また、互いに異なる２種類の生地を重ね合わせることにより腹部分２１を構成することもできる。
【００９６】
・上記実施形態（図３）では、ブラジャー４０のカップ４１を露出する開口部１６が形成されているが、開口部１６に対応する部分に弱緊締力生地を設けることもできる。
・上記実施形態（図１および図２）では、腹部分２１の下縁および背中部分２２の下縁がウエストに対応する位置に設けられているが、これら各下縁の位置は同実施形態に例示された位置に限られるものではない。例えば、みぞおちに対応する位置、または下腹部に対応する位置に変更することもできる。
【００９７】
・上記実施形態（図１）では、半袖丈の袖１４が設けられているが、半袖丈よりも長い丈の袖または半袖丈よりも短い丈の袖に変更することもできる。また、袖１４を省略することもできる。
【００９８】
・上記実施形態（図１）では、袖１４を構成する生地としてラグラン袖の形状に対応する生地が用いられているが、肩口において前身頃１１および後身頃１２に縫い付けられる形状の生地により袖１４を構成することもできる。
【００９９】
・上記実施形態（図３）では、カップ４１に対する取り付けおよび取り外しが可能なブラジャー４０着用する場合の例が示されているが、ストラップがカップ４１に固定されたブラジャーを女性用補整下着１に取り付けることもできる。この場合には、ブラジャーのカップにストラップ３０を直接的に結びつけることにより、女性用補整下着１にブラジャーを取り付けることができる。
【０１００】
・上記実施形態（図１）では、袖付きの女性用補整下着１に本発明が適用された場合の一例が示されているが、他の女性用補整下着に対して本発明を適用することもできる。本発明を適用することができる他の女性用補整下着としては、例えばコルセットおよびボディースーツが挙げられる。
【符号の説明】
【０１０１】
１…女性用補整下着、１１…前身頃、１２…後身頃、１３…肩周り部分、１４…袖、１５…襟、１６…開口部、１７…補強部、１８…支持ベルト、２０…基礎部、２１…腹部分、２２…背中部分、２３…外側胸部分、２４…外側背中部分、２５…脇上部分、２５Ａ…前脇上部分、２５Ｂ…後脇上部分、２６…外側袖部分、２７…内側袖部分、２８…裏肩周り部分、２８Ａ…前裏肩周り部分、２８Ｂ…後裏肩周り部分、２９…下支部、３０…ストラップ（取付部）、３１…上端、３２…下端、３３…フック、３４…アジャスター、４０…ブラジャー、４１…カップ、４２…フック受部、４３…ベルト。
【図１】
2012233268.tif 000003
【図２】
2012233268.tif 000004
【図３】
2012233268.tif 000005
【図４】
2012233268.tif 000006